(57)【要約】【課題】吸込み部に設けた補強部による前面パネル面への照り返しを防止し、美観を損なわず、ユーザの誤認識を誘引しにくい空気調和機の室内ユニットを提供する。【解決手段】室内ユニットの前面側に配置され、前面部７ｂとこの前面部と対向する誘導面部７ａの間に吸込み部１１を少なくとも一箇所形成した前面パネル７を有するとともに、吸込み部１１には前面部７ｂと誘導面部７ａとを連接して吸込み部構造を補強する補強部１３を有し、少なくとも補強部１３の誘導面部７ａに対向する面側には照り返し防止手段を具備した。【選択図】  図３
2004257624.tif 000002
【特許請求の範囲】
【請求項１】
室内ユニットの前面側に配置され、前面部とこの前面部と対向する誘導面部の間に吸込み部を少なくとも一箇所形成した前面パネルを有するとともに、前記吸込み部には前記前面部と前記誘導面部とを連接して吸込み部構造を補強する補強部を有し、少なくとも前記補強部の前記誘導面部に対向する面側には照り返し防止手段を具備したことを特徴とする空気調和機の室内ユニット。
【請求項２】
補強部は、前面部及び誘導面部と一体に成形されていることを特徴とする請求項１記載の空気調和機の室内ユニット。
【請求項３】
照り返し防止手段は、補強部に対して着脱可能に配置したことを特徴とする請求項１または２のいずれか一項に記載の空気調和機の室内ユニット。
【発明の詳細な説明】
【０００１】
【発明の属する技術分野】
本発明は、空気調和機の室内ユニットに関するものであり、より詳しくは空気調和機の室内ユニットを構成する前面パネル構造に関するものである。
【０００２】
【従来の技術】
従来の空気調和機の室内ユニットについて、図面を参照しながら説明する。従来の空気調和機の室内ユニットは、図５に示すように、外郭を構成するケーシング１と前面枠２と天面吸入グリル３を備えており、ケーシング１の内部にはエアフィルター８、熱交換器６、クロスフローファン４を配置し、送風口５から調温調湿された空気が噴出される構成となっている。
【０００３】
一方、室内ユニットの前面側には、前面部７ｂと誘導面部７ｂとにより間隙１０を構成して形成された吸込み部１１を有する前面パネル７が配置されており、図示しない回動支点を軸に室内ユニット前面側を覆っている。吸込み部１０は室内ユニットの水平方向略全幅に渡って形成されており、この間隙１０の補強のために一端を前面部７ｂの裏面に取り付け、他端を前面パネル７の裏面に支持されて前面部７ｂの変形を抑制する補強部品１２を複数箇所配置している。
【０００４】
空気調和機の室内ユニットの前面グリル７は、射出成形などにより製造上一体に構成されると好適であり、従って補強部１３、前面部７ｂ、誘導面部７ａは同じ材料で構成され、また表面の装飾性を向上させる塗装もこれら一体に施されるとよい。
【０００５】
また空気調和機の室内ユニットは一般に天井付近の側壁面に設置されていることが多く、室内照明が照射されて、その表面に光沢のある塗装等が施されていれば、より映える構成となっている。
【０００６】
【特許文献１】
特開平１１−２０９５２３号公報
【０００７】
【発明が解決しようとする課題】
しかしながら、従来の構成のように補強部品１２を別部品で構成して材質を代えるようにしていればよいが、上述のように補強部１３、前面部７ｂ、誘導面部７ａを一体で成形しようとすると図６に示すように照明などの光が補強部１３に当たってそれが照り返し、補強部１３の形状に対応して誘導面部７ａに照り返し光１８として反射される。
【０００８】
これを居室にいるユーザから見た場合には、通常補強部１３がユーザからあえて見えにくい位置に配置されているため、誘導面部７ａに予想しない模様となって確認されたり、樹脂の白化と誤認識されたりしかねない。この照り返し光１８は設計者としても意図したものでないことが多く、極力なくすことが望まれる。
【０００９】
上記課題に鑑み、本願発明は補強部による照り返し光の影響を極力なくし、意匠性・美観に影響を与えにくい空気調和機の室内ユニットを提供するものである。
【００１０】
【課題を解決する手段】
上記課題を解決するため、本願発明の空気調和機の室内ユニットは、室内ユニットの前面側に水平長手方向に形成される吸込み部において、吸込み部を構成する前面部と誘導面部とを連接して吸込み部構造を補強する補強部に対して照り返し防止手段を具備する。
【００１１】
【発明の実施の形態】
本願発明の空気調和機の室内ユニットは、室内ユニットの前面側に配置され、前面部とこの前面部と対向する誘導面部の間に吸込み部を少なくとも一箇所形成した前面パネルを有するとともに、吸込み部には前面部と誘導面部とを連接して吸込み部構造を補強する補強部を有し、少なくとも補強部の誘導面部に対向する面側には照り返し防止手段を具備したことを特徴とする。これにより、簡易な手段で誘導面部などへの照り返し光の反射を抑えることができるため、ユーザに対する美観を損なわず、誤認識をさせることがない。
【００１２】
特に補強部が前面部及び誘導面部と一体に成形されている場合であれば本体の意匠性を優先して構成されるため、通常補強部の色調を含め照り返し光対策を優先されていない場合が多く、上記のような対策が好適となる。
【００１３】
更に本願発明の空気調和機の室内ユニットは、照り返し防止手段は、補強部に対して着脱可能に配置したことを特徴とする。これにより前面パネルの色調・光沢などに応じて定義取付けできるため好適である。
【００１４】
以下、本発明の実施の形態について図面を参照して説明する。従来の技術で説明した図５、図６と共通の構成要素については同一番号を付して、詳細説明を省略する。
【００１５】
（実施の形態１）
図１、図２は、本発明にかかる空気調和機の室内ユニットを示しており、前面パネル７と前面部７ｂと誘導面部７ａとの間隙１０に構成された吸込み部１１を補強するように一体成形された補強部１３を吸込み部全幅にわたって一箇所以上複数箇配置している。一方、補強部１３表面は基材となるアイボリー系の樹脂材料で成形され、さらに意匠性を向上させるために前面パネル７の少なくともユーザから見える部分である前面部７ｂや誘導面部７ａにはパール系やメタリック系などのに塗装が施されている。
【００１６】
このままでは、反射性の高い色調・光沢で構成され得る補強部１３に室内蛍光灯（図示せず）の光が照射されると、これが反射して照り返し光を誘導面部７ａなどに投射してしまうため、補強部１３に照り返し防止の工夫を施す。例えば、前面部７ｂや誘導面部７ａに比べてより暗い色調を施したり、図３に示すように反射率が低いかまたは暗い色調のシート１５またはシール１６を添付することにより照り返しを防止したりするとよい。
【００１７】
上記の構成によって、前面パネル７と前面部７ｂをつなぐ補強部１３がの上部吸引口１１の影の中に同調するようになり、正面視された場合はもとより、覗き込まれる場合においても補強部１３を目立たなくし、また空気調和機の室内ユニットを室内壁面の上方に据付られる場合においても補強部１３によって照明の光を前面パネル７または前面部７ｂに反射させることなく、美観を確保することができる
（実施の形態２）
次に図４を用いて本願発明の実施の形態２について説明する。同図に示すように補強部１３外面にアイボリー系の樹脂材料で成形され、またパール系またはメタリック系に塗装された前面パネル７または前面部７ｂよりも暗い色の樹脂で成形されたキャップ１７を取り付ける構成とし、図４（ｂ）のＢ−Ｂ断面模式図に示すように、キャップ１７は補強部１３に弾性を利用して取り付け、爪１７ａ、１７ｂにより補強部１３を抱え込むように構成している。
【００１８】
上記の構成によって、前面パネル７と前面部７ｂをつなぐ補強部１３の色を変えることが可能であり、上部吸引口１１の影の中に同調するようになり、正面視された場合はもとより、覗き込まれる場合においても補強部１３を目立たなくし、また空気調和機の室内ユニットを室内壁面の上方に据付られる場合においても補強部１３によって照明の光を前面パネル７または前面部７ｂに反射させることなく、美観を確保することができ、組み立て時にもキャップ１７の取り付けが簡単であり、作業性が良く、ユーザーがパネル清掃などのメンテナンスの際にキャップ１７を不用意に取り外す心配がなく、また取りはずしてしまった場合にも容易に再取り付けが可能である。
【００１９】
【発明の効果】
上記から明らかなように、本願発明によれば、補強部の誘導面部に対向する面側には照り返し防止手段を具備したことで、簡易な手段で誘導面部などへの照り返し光の反射を効果的に抑えることができ、ユーザに対する美観を損なわず、誤認識をさせることがない、好適な空気調和機の室内ユニットを提供することができる。
【図面の簡単な説明】
【図１】本発明の第１の実施形態を示す空気調和機の室内ユニットの斜視構成斜視図
【図２】本発明の第１の実施形態を示す空気調和機の室内ユニットの側方からみた構成模式図
【図３】本発明の第１の実施形態を示す照り返し防止手段を用いた室内ユニットの要部模式図
【図４】（ａ）本発明の第２の実施形態を示す照り返し防止手段を用いた室内ユニットの要部模式図
（ｂ）図４（ａ）におけるＢ−Ｂ面での構成模式図
【図５】従来の空気調和機の室内ユニットの側方からみた構成模式図
【図６】従来の空気調和機の室内ユニットの斜視構成模式図
【符号の説明】
２    前面枠
７    前面パネル
７ａ  誘導面部
７ｂ  前面部
１０  間隙
１１  吸込み部
１３  補強部
１５  照り返し防止シート
１６  照り返し防止シール
１７  照り返し防止キャップ
１７ａ、１７ｂ  キャップ爪
【図１】
2004257624.tif 000003
【図２】
2004257624.tif 000004
【図３】
2004257624.tif 000005
【図４】
2004257624.tif 000006
【図５】
2004257624.tif 000007
【図６】
2004257624.tif 000008